(57)【要約】【課題】  可撓性のプラスチック締付片の結束バンドを利用して、ケーブル配線工事、配管工事、または園芸等の巻付け作業において、狭く、手が入りにくい場所において結束バンドの先端が掴めにくいことから結束作業に手間がかかるものである。  また、結束バンドの弾力性によって、作業衣のポケットに入れておくが、常に飛び出して紛失することから、携帯に不便であった。  これらのことを同時に解決する容器を提供するものである。【解決手段】  携帯できる容器の上面に挿入孔を設けて結束バンドを挿入するとＵ字状、あるいはＬ字状に納まることで飛び出さないように設ける。  また、納めた結束バンドを容易に挿入して、納めやすい構造にする。結束バンドを取出すとＵ、又はＬ字状に形成することで結束作業が効率よくできるものである。【選択図】図２
2012166845.tif 000002
【特許請求の範囲】
【請求項１】
携帯可能な容器で着脱できる蓋に結束バンドの挿入孔を設ける。前記挿入孔に開閉する舌片を設ける。前記舌片の開閉口は周縁側にして、前記舌片は反発力を有する材質を用いて、前記蓋の面に向って閉じるように設けることで前記挿入孔に挿入した結束バンドのバンド部を挟持し固定することを特徴とする飛出し防止付結束バンド容器。
【請求項２】
前記挿入孔に設けた前記舌片にバネを設ける。前記舌片の前記バネの閉力によって、挿入した結束バンドのバンド部を挟持し固定することを特徴とする請求項１記載の飛出し防止付結束バンド容器。
【請求項３】
前記挿入孔にバネ力で閉じるスライド開閉板を設ける。前記スライド開閉板は前記挿入孔に挿入した結束バンドのバンド部を前記挿入孔の周縁側の間で挟持し固定することを特徴とする飛出し防止付結束バンド容器。
【発明の詳細な説明】
【技術分野】
【０００１】  本発明は、可撓性のプラスチック締付片の結束バンドを容器に納めて、携帯容器として利用しながら、容器より結束バンドを取出して電気配線、ケーブル工事において結束作業、また園芸、農作業等の結束作業の用治具に関する。
【背景技術】
【０００２】  従来、結束バンドを用いて電線、信号、通信ケーブルの配線工事又は、エアコン配管、ドレン管あるいは、園芸や農作業の様ざまな結束作業において手が入りにくい狭い部分や、格子状の所にケーブル等を巻付けて取付ける工事において反対側に手が届かない所においては、結束バンドの先端を引き出すことが困難によって工事の手間が掛かることである。【０００３】また、結束バンドは弾力性また、滑りやすいため作業袋、衣類ポケット等に収めた状態でも、飛び出したりして落下することが多いことから不便であった。
【先行技術文献】
【０００４】  そこで、結束バンドを効率よく利用しようとするものに、以下のようなものが公報によって知られている。
従来には、円筒形容器の側面に結束バンドの挿入縦長孔一カ所以上設けて、容器の内周面に誘導板を設ける。あるいは半楕円体容器の着脱できる蓋に結束バンドの挿入横長孔を一カ所以上設けて、半楕円体容器の前記蓋の裏側に誘導板を設けた結束バンド容器がある。（例えば特許文献１参照）
また、ニッパーに似た形状をしたもので、夫々ハンドル部を有する２個一対の工具本体と、該本体を相対回動可能にハサミ形に連結する枢軸と、本体の先端部に夫々設けられたバンド枢軸が利用されている。（例えば特許文献２参照）
また、締付片代用自動銃なるもので、ケーブルのような束のまわりに、可撓性のプラスチック締付片を自動で巻きつける装置である。（例えば特許文献３参考）
【０００５】
【特許文献１】  特許第４６２３４１１号広報
【特許文献２】  特開平７−２４１７８１号広報
【特許文献３】  特開平８−５８７１２号広報
【発明の概要】
【発明が解決しょうとする課題】
【０００６】  しかしながら、従来の工具にも下記のような問題がある。
特許文献１において、結束バンドを結束バンド容器内に挿入することに時間を要する。特に結束バンドを纏めて挿入することが容易でないことから作業準備の効率が悪いものである。
【０００７】また、特許文献２、又は３において、配線工事、配管工事、断熱巻工事でキヤタツ等を利用して高所の工事には使いずらく、並びに狭い所では使うことが困難である。
【０００８】  特許文献２、３において、携帯容器としては不向きである。
【０００９】  そこで本発明は、上記の課題に鑑み、多数の結束バンドを容易に結束バンド容器に納めることで時間の短縮ができる。また結束バンド容器を衣服やバンドに付けることで携帯容器としても結束バンドが抜け落ちることもなく、使いやすいものである。
利用時に結束バンドを取り出すとＵ字状、またはＬ字状に形成することで、狭い所や、手の回らない所でも結束バンドの巻付けによる、配線作業、配管工事または、園芸や農作業の巻き付け作業を容易に進めることができるようにするものである。
【課題を解決するための手段】
【００１０】  上記の課題を解決するため、携帯可能な容器で着脱できる蓋に結束バンドの挿入孔を設ける。前記挿入孔に開閉する舌片を設ける。前記舌片の開閉口は周縁側にして、前記舌片は反発力を有する材質を用いて、前記蓋の面に向って閉じるように設けることで前記挿入孔に挿入した結束バンドのバンド部を固定することを特徴とする。
【００１１】  また、前記挿入孔の設けた前記舌片にバネを設ける。前記舌片の前記バネの閉力によって、挿入した結束バンドのバンド部を固定することを特徴とする。
【００１２】  また、前記挿入孔にバネ力で閉じるスライド開閉板を設ける。前記スライド開閉板は前記挿入孔に挿入した結束バンドのバンド部を前記挿入孔の周縁側の間で咬止することで固定することを特徴とする。
【発明の効果】
【００１３】  本発明は、以上説明したように構成されているので、以下に記載されているような効果を奏する。
【００１４】  本発明を利用することで、結束バンドを多数納めた容器を衣服や腰まわりに装着して、激しい作業をおこなっても抜け落ちることもなく作業の向上を図ることができる。
【００１５】  また、数多くの結束バンドを結束バンド容器内に短時間で、容易に納めることができることから効率的に作業ができる。
よって、本容器より取り出した結束バンドは、Ｕ字状、又はＬ字状に変形していることから、ケーブル工事でケーブルを固定体に結束する配線工事で、手が回らず結束バンドの先端が取りづらい所、また過密なエアコン内の配管に断熱材に巻く作業等が容易にできるものである。
【図面の簡単な説明】
【００１６】
【図１】  本発明の第一実施例の斜視図である。
【図２】  第一実施例のバンド容器に結束バンドを納めた斜視図である。
【図３】  図１のＡ−Ａ｀の要部断面の側面図である。
【図４】  結束バンド容器に結束バンドを挿入する要部断面の側面図である。
【図５】  図２のＢ−Ｂ｀の要部の側面図である。
【図６】  舌片を蓋の表面に設けた要部断面の側面図である。
【図７】  結束バンド容器に結束バンドを納めた要部断面の側面図である。
【図８】  舌片を蓋と一体に設けた要部断面の側面図である。
【図９】  結束バンド容器より取出して、変形状態の結束バンドの図である。
【図１０】  結束バンド容器より取出して、変形状態の結束バンドの図である。
【図１１】  第二実施例の舌片に閉じバネを設けた要部断面の側面図である。
【図１２】  第二実施例の平面図である。
【図１３】  図１２の裏側を見た平面図である。
【図１４】  舌片と閉じバネを蓋の表面に設けた要部断面の側面図である。
【図１５】  第三実施例の要部断面の側面図である。
【図１６】  図１５の裏側より見た拡大の平面図である。
【発明を実施するための形態】
【００１７】  本発明の実施の形態について図面を参照して説明する。
【００１８】  図１、図２、図３、図４、及び図５は本発明に係る飛び出し防止付結束バンド容器の第一実施例の図である。
図１は本発明の第一実施例の全体の斜視図である。図２は結束バンド容器に結束バンドを納めた状態で舌片がバンド部を挟持した斜視図である。図３は図１のＡ−Ａ｀の上部の断面の側面図である。図４は図３より結束バンド容器に結束バンドを挿入孔より挿入する状態の図である。図５は図４より結束バンドを納めてバンド部を舌片が挟持した状態も図である。図６は舌片を蓋の表面に設けた要部断面の側面図である。図７は結束バンド容器に納めた結束バンドを蓋表面に設けた舌片によって挟持した状態の要部断面の側面図である。
【００１９】  図において、１は結束バンドを収納する結束バンド容器、２は着脱できる結束バンド容器１の蓋、３はバンド部を挿入する挿入孔、４は挿入孔３の蓋２内側に設けた舌片、５は周縁側である。また６は係合部、７は被係合部、８はズボン等のベルトに装着できるベルトホルダー、１９は結束バンドのヘッド、２０はベルト部、２１はバンド先端部である。
【００２０】  なお、結束バンド容器１の内部の深さは結束バンドのバンド部２０の形状を変えることから、収納するバンド部２０の全長の１／２〜３／４程とする。
【００２１】  したがって、上記の構成により図３に示すように結束バンドを数本纏める。このときバンド部の歯２２の向きは蓋２の中央側に向けて挿入孔３より挿入（ｙの方向）すると、舌片４の開閉口は周縁側５であることから、前記舌片４が図４のようにｘ方向に下がりバンド部２０が容器内に図２に示すようにＵ字状に変形した状態で納まる。ここで結束バンドが飛び出ないように反発力を有する前記舌片４によって、前記挿入孔３周縁側５の淵と前記舌片によりバンド部２０が挟持することで結束バンド容器１より飛び出すこともなく固定することができる。
また、必要なとき蓋２を着脱するときは係止部６と被係止部７を操作する。
【００２２】  また、図６及び図７は、開き取手９を設けた舌片４Ａを結束バンド容器１Ａの蓋２Ａの表面に設ける。よって舌片４Ａを開くとき開き取手９を斜め上（Ｘ｀方向）に引きながら結束バンドのバンド部２０のバンド先端部２１より挿入（ｙ方向）する。バンド部２０を挿入後は開き取手９を放すことで、舌片４Ａの反発力によりバンド部２０を挟持して固定して、飛び出しを防ぐことができる。
【００２３】  なお、図８に示すように舌片４ａを結束バンド容器１ａの蓋２ａと一体に設けることで、舌片４ａは挿入孔３ａの上側、あるいは下側に開閉できるように設けることで、前記記載した作用、効果も同様である。
【００２４】  ここで、前記結束バンド容器１の表面積の大きさ、ならびに深さは結束バンドのバンド部２０の長さに異なるものである。よって図２の例として、内径約６ｃｍ、深さ約１０ｃｍの結束バンド容器１に納める結束バンドのバンド部２０の長さは１５ｃｍ〜２０ｃｍ程が望ましいものである。
【００２５】  結束バンド容器１に納められた結束バンドを一定時間後、ヘッド１９より引出すと図９、図１０に示すようにＵ字状，Ｌ字状のように変形となる。
【００２６】  また、図１１、図１２、及び図１３本発明の第二実施例で、結束バンド容器１Ｂの蓋２Ｂの挿入孔３Ｂの内側に閉じバネ１１を設けた舌片４Ｂを設ける。また舌片４Ｂの表面の一端に押し取手１０を設ける。
【００２７】  よって、結束バンドのバンド部２０を結束バンド容器１Ｂに納めるには、舌片４Ｂの押し取手１０を押すことで舌片４Ｂを下方向に押して、挿入孔３Ｂよりバンド先端部２１を挿入してＵ字状に納める。
【００２８】  なお、図１４においては、閉じバネ１１Ｂと舌片４１Ｂ、及び舌片４１Ｂの表面の一端に開き取手９Ｂを設けることで、バンド部２１を挿入するときは開き取手９Ｂを斜め上に引いて舌片４１Ｂを開くことで挿入孔３１Ｂより挿入する。
【００２９】  また、図１５、及び図１６は本発明の第三実施例で、結束バンド容器１Ｃの蓋２Ｃの挿入孔３Ｃに開閉できるように引き取手１５を設けたスライド開閉板１６を設けて、スライド開閉板１６をスライドできるようにスライド支持部１７を設ける。またスライド開閉板１６の後部に押しバネ１８を設けることでスライド開閉板１６が閉まる作用をする。
【００３０】  よって、結束バンドのバンド部２０を結束バンド容器１Ｃに納めるとき、スライド開閉板１６の引き取手１５を引いて挿入孔３Ｃを開けて、結束バンドのバンド部２０を挿入して必要数をＵ字状に納める。
ここで、引き取手１５を離すと押しバネ１８がスライド開閉板１６は閉じる方向となることで、バンド部２０を挟持して固定することができる。
【００３１】  したがって、上記の構成により電気工事、通信ケーブルの配線工事等、配管工事等、さらに園芸、農作業において結束バンドの結束作業をおこなうとき、結束バンド容器１を衣服やバンド等に取付けて携帯として持ち歩くことができる。さらに結束作業のとき、様ざまな状況により、手の入りにくいことから結束バンドのバンド先端部２１を掴め事ができにくい所でも、結束バンドのバンド部２０がＵ字状、あるいはＬ字状であることから取付体の背後を容易に回すことができ、結束作業が効率よく進めることができるものである。
【符号の説明】
【００３２】１，１Ａ，１ａ，１Ｂ，１Ｃは結束バンド容器
２，２ａ，２Ａ，２Ｂ，２１Ｂ，２Ｃは蓋
３，３Ａ，３ａ，３Ｂ，３１Ｂ，３Ｃは挿入孔  ４，４Ａ，４ａ，４Ｂ，４１Ｂは舌片
４Ｃはスライド開閉板                        ５は周縁側
６，６Ａ，６Ｂ，６Ｃは係止部                ７，７Ａ，７Ｂ，７Ｃは被係止部
８はベルトホルダー                          ９，９Ｂは開き取手
１０は押し取手                              １１，１１Ｂは閉じバネ
１２はバネ軸部                              １３は軸支持部
１４はバネ支持部                            １５は引き取手
１６はスライド開閉板                        １７はスライド支持部
１８は押しバネ                              １９はヘッド
２０はバンド部                              ２１はバンド先端部
２２は歯
【図１】
2012166845.tif 000003
【図２】
2012166845.tif 000004
【図３】
2012166845.tif 000005
【図４】
2012166845.tif 000006
【図５】
2012166845.tif 000007
【図６】
2012166845.tif 000008
【図７】
2012166845.tif 000009
【図８】
2012166845.tif 000010
【図９】
2012166845.tif 000011
【図１０】
2012166845.tif 000012
【図１１】
2012166845.tif 000013
【図１２】
2012166845.tif 000014
【図１３】
2012166845.tif 000015
【図１４】
2012166845.tif 000016
【図１５】
2012166845.tif 000017
【図１６】
2012166845.tif 000018